(57)【特許請求の範囲】
【請求項１】
家具本体底板並びに天井板にビス等で固着する一端にヒンジ部を設け、他端は、家具本体底板の前面に穿設した挿入孔に挿入して家具本体底板の上面に穿設した開口部から取付ビスで家具本体底板３に固定する強化プラスチック製、金属製の平板で製作した略Ｌ字形平板アームと、開き扉の上下の角部に取り付けた略直角三角形状をしていて、直角部をはさんでの一辺に平行するようにヒンジ部用のヒンジ孔が穿設され、さらに、開き扉の一部に穿設した係止孔に係止することができるように、係止突起が設けられ、また、直角部をはさんでの他の辺には、開き扉の内側に折り曲げ形成した略コ字状折り曲げ部に係合できるようにした係合突起が一体的に形成されていて、この係合突起は、開き扉の略コ字状折り曲げ部が通過できる切り欠き部の一部が形成されていて、この切り欠き部に前記の係合突起を一旦通過させてからスライドして一辺の先端に設けた係止突起を開き扉の係止孔に係止させると同時に、前記係合突起は、略コ字状折り曲げ部で脱しないように係合される受け具とからなり、前記略Ｌ字形平板アームのヒンジ部を前記受け具のヒンジ孔に係合して蝶番の役目を奏するようにしたことを特徴とする家具等における開き扉の蝶番。
【発明の詳細な説明】
【０００１】
【発明の属する技術分野】
本発明は、一端を家具本体の底板並びに天井板にビス等で固着した他端にヒンジ部を設けた略Ｌ字形平板アームと開き扉の補強兼用の内側折り曲げ部に切り欠き部と係止孔を形成し、該切り欠き部と係止孔を介して挿入スライドして係合した受け具とにより、前記略Ｌ字形平板アームに設けたヒンジ部を受け具の対応する係合孔に挿入組み立てする家具等における開き扉の蝶番に関するものである。
【０００２】
【従来の技術】
従来、家具本体の戸口に前後方向に移動可能に設け、前端部に扉を蝶着した扉保持部材と、該扉保持部材に軸着して上記扉の開閉に連動して回動可能に設け、離心部を本体戸口の適当箇所に係合してその回動により上記扉保持部材を推進するごとくした駆動部材を備えてなる家具類における扉の蝶番装置が知られている（特開昭６０−２１９３７９号公報参照）。
【０００３】
【発明が解決しようとする課題】
しかしながら、前記の従来技術においては、複雑な構成の扉保持部材と、該扉保持部材を駆動する駆動部材（例えば滑車、ベルト、あるいはラック、ピニオン等）が必要であり、さらに、扉の開閉を行う蝶番に代わる調車を支持する支持軸が扉全体を支えることになるので、扉の限られた空間で使用できる支持軸では、どうしても強度的に問題があった。
本発明は、この点に鑑み、簡単な構成により、一端は家具本体の底板並びに天井板に固着し、他端にヒンジ部を設けた強度的にも堅固な板材からなる略Ｌ字形平板アームと、この略Ｌ字形平板アームのヒンジ部と係合する合成樹脂製の受け具を開き扉の内側折り曲げ部にスライド係合固定した扉の円滑な開閉ができる家具等における開き扉の蝶番を提供することを目的とするものである。
【０００４】
【課題を解決するための手段】
本発明は、前記の課題の解決を図ったもので、家具等における開き扉の蝶番において、家具本体底板並びに天井板にビス等で固着する一端にヒンジ部を設け、他端は、家具本体底板の前面に穿設した挿入孔に挿入して家具本体底板の上面に穿設した開口部から取付ビスで家具本体底板３に固定する強化プラスチック製、金属製の平板で製作した略Ｌ字形平板アームと、開き扉の上下の角部に取り付けた略直角三角形状をしていて、直角部をはさんでの一辺に平行するようにヒンジ部用のヒンジ孔が穿設され、さらに、開き扉の一部に穿設した係止孔に係止することができるように、係止突起が設けられ、また、直角部をはさんでの他の辺には、開き扉の内側に折り曲げ形成した略コ字状折り曲げ部に係合できるようにした係合突起が一体的に形成されていて、この係合突起は、開き扉の略コ字状折り曲げ部が通過できる切り欠き部の一部が形成されていて、この切り欠き部に前記の係合突起を一旦通過させてからスライドして一辺の先端に設けた係止突起を開き扉の係止孔に係止させると同時に、前記係合突起は、略コ字状折り曲げ部で脱しないように係合される受け具とからなり、前記略Ｌ字形平板アームのヒンジ部を前記受け具のヒンジ孔に係合して蝶番の役目を奏するという技術手段を採用した。
【０００５】
【発明の実施の形態】
本発明は、強化プラスチック、あるいは金属で製作した一端にヒンジ部を設けた、略Ｌ字形平板アームの他端を家具本体底板並びに天井板に固着し、開き扉の補強兼用の内側折り曲げ部にスライド係合して固定した合成樹脂製の受け具に前記の略Ｌ字形平板アームのヒンジ部を係合して開閉自在にした家具等における開き扉の蝶番により簡単に組立が完了された扉を家具の前面いっぱいに開くことができ、しかも、作動が連続的に行われ、円滑な開閉操作ができる。
【０００６】
【実施例】
以下、本発明の一実施例を添付図面で詳細に説明する。
図１に示したものは、一実施例である端部を蝶番で支持した回動式開閉扉を有する保管庫の開き扉のヒンジ部の要部を示す概略正面図で、同じく図２は、その概略側面図、図３は、開き扉の内側から見た概略正面図で、１は家具本体例えば保管庫本体、２は開き扉、３は本体底板、４は本体側板、５はヒンジ部、６は略Ｌ字形平板アーム、７は受け具、８はビス等の固定具である。
【０００７】
次に、前記本体側板４に対して開き扉２の開閉を司る蝶番の一実施例について図１〜図５に基づいて詳細に説明する。図４に示したものは、本発明の蝶番の関係を示す概略分解斜視図、図５は開き扉に受け具を取り付ける状態を示す概略分解斜視図である。
【０００８】
先ず、図１、図２、図４に基づいて、蝶番の１部である強化プラスチック製、金属製の平板で製作した略Ｌ字形平板アーム６の一端にヒンジ部５を設け、他端は、本体底板３の前面に穿設した挿入孔９に挿入して本体底板３の上面に穿設した開口部１０から取付ビス８で本体底板３に略Ｌ字形平板アーム６を固定するものである。前記ヒンジ部５を受け具７のヒンジ孔１１に係合させて蝶番の役目を奏するものである。
【０００９】
次に、図３、図４、図５に基づいて、蝶番の１部である受け具７について説明する。
開き扉２の上下の角部に取り付けるもので、合成樹脂材で一体成形したものである。その具体的形状は、図４、図５からも理解できるように、略直角三角形状をしていて、直角部をはさんでの一辺に平行するようにヒンジ部用のヒンジ孔１１が穿設され、さらに、開き扉２の一部に穿設した係止孔１２に係止することができるように、係止突起１３が設けられている。また、直角部をはさんでの他の辺には、開き扉２の内側に折り曲げ形成した略コ字状折り曲げ部１４に係合できるようにした係合突起１５が一体的に形成されていて、この係合突起１５は、開き扉２の略コ字状折り曲げ部１４が通過できる切り欠き部１６の一部が形成されていて、この切り欠き部１６に受け具７の係合突起１５を一旦通過させてからスライドして一辺の先端に設けた係止突起１３を開き扉２の係止孔１２に係止させると同時に、前記係合突起１５は、略コ字状折り曲げ部１４で脱しないように係合され、２ヶ所で開き扉２に受け具７は固定状態にされるものである。この受け具７を取り付けた開き扉２を保管庫本体１の左右角部上下に前記のように固定されている略Ｌ字形平板アーム６の一端に突出して設けられているヒンジ部５に受け具７のヒンジ孔１１に挿入することで組立が完了するものである。
【００１０】
このように、略Ｌ字形平板アーム６のヒンジ部５と受け具７のヒンジ孔１１とで開き扉２は回動自在にでき、蝶番の役目を達成するものである。例えば、略Ｌ字形平板アーム１４は、略Ｌ字形状だけでなく、円弧形状、く字形状等でも良く、種々変更できることはいうまでもない。
【００１１】
【発明の効果】
本発明は、以上の構成に基づき次の効果を得ることができる。
（１）製作、組立てが簡単である。
（２）板材から略Ｌ字形平板アームを形成しているので、蝶番として最適であり、しかも強度的にも重い扉を支持するものとして充分機能するものである。
【図面の簡単な説明】
【図１】  本発明の一実施例である回動式扉を持った保管庫本体に蝶番を取り付けたところを示す概略正面図である。
【図２】  前記実施例における概略側面図である。
【図３】  前記実施例における蝶番の受け具を開き扉側に取り付けた状態を示す概略側面図である。
【図４】  前記実施例の概略分解斜視図である。
【図５】  前記実施例における蝶番の受け具を開き扉に組み付けた状態を示す概略分解斜視図である。
【符号の説明】
１‥‥保管庫本体                  ２‥‥開き扉
３‥‥本体底板                    ４‥‥本体側板
５‥‥ヒンジ部                    ６‥‥略Ｌ字形平板アーム
７‥‥受け具                      ８‥‥ビス等の固定具
９‥‥挿入孔                    １０‥‥開口部
１１‥‥ヒンジ孔                  １２‥‥係止孔
１３‥‥係止突起                  １４‥‥略コ字状折り曲げ部
１５‥‥係合突起                  １６‥‥切り欠き部
【図１】
0003733472.tif 000002
【図２】
0003733472.tif 000003
【図３】
0003733472.tif 000004
【図４】
0003733472.tif 000005
【図５】
0003733472.tif 000006